(57)【要約】【課題】屋外に適した構造を有する電気設備を提供する。【解決手段】電気設備１０００における本体ケースは、リアクトル素子６１０、コイル６１２、トランス６１４を収納する。リアクトル素子６１０、コイル６１２、トランス６１４のそれぞれは、非平面状の接続面を有する。本体ケースには、リアクトル素子６１０、コイル６１２、トランス６１４を接続する第１ヒートシンク６００が配置される。第１ヒートシンク６００において放熱フィン６０４が設けられる面とは反対側の載置面６０２には、リアクトル素子６１０、コイル６１２、トランス６１４のそれぞれを接続面側から格納する第１格納溝６２０、第２格納溝６２２、第３格納溝６２４、第４格納溝６２６が設けられる。【選択図】図１２
2018060830.tif 000002
【特許請求の範囲】
【請求項１】
複数の回路部品と、
前記複数の回路部品を収納する本体ケースとを備え、
前記複数の回路部品のそれぞれは、非平面状の接続面を有し、
前記本体ケースには、前記複数の回路部品を接続するヒートシンクが配置され、
前記ヒートシンクにおいてフィンが設けられる面とは反対側の面には、前記複数の回路部品のそれぞれを接続面側から格納する格納溝が複数設けられることを特徴とする電気設備。
【請求項２】
前記複数の回路部品は、リアクトル素子を含むことを特徴とする請求項１に記載の電気設備。
【請求項３】
前記本体ケースは、平面状の接続面を有する別の種類の回路部品も収納し、
前記本体ケースには、前記別の種類の回路部品を接続する別のヒートシンクも配置され、
前記別のヒートシンクにおいてフィンが設けられる面とは反対側の面は、平面状に形成されることを特徴とする請求項１または２に記載の電気設備。
【請求項４】
前記別の種類の回路部品は、スイッチ素子を含むことを特徴とする請求項３に記載の電気設備。
【発明の詳細な説明】
【技術分野】
【０００１】
本発明は、電気設備に関し、特に電気機器を収納する電気設備に関する。
【背景技術】
【０００２】
屋外に設置される電子機器は、雨天時において雨にさらされる。そのため、そのような電子機器の筐体は防水構造にされる（例えば、特許文献１参照）。
【先行技術文献】
【特許文献】
【０００３】
【特許文献１】特開２０１５−１２１４０号公報
【発明の概要】
【発明が解決しようとする課題】
【０００４】
屋外に設置される機器には防水性が必要とされるが、防水性だけではなく、さらに屋外に適した構造が求められる。
【０００５】
本発明はこうした状況に鑑みなされたものであり、その目的は、屋外に適した構造を有する電気設備を提供することにある。
【課題を解決するための手段】
【０００６】
上記課題を解決するために、本発明のある態様の電気設備は、複数の回路部品と、複数の回路部品を収納する本体ケースとを備える。複数の回路部品のそれぞれは、非平面状の接続面を有する。本体ケースには、複数の回路部品を接続するヒートシンクが配置され、ヒートシンクにおいてフィンが設けられる面とは反対側の面には、複数の回路部品のそれぞれを接続面側から格納する格納溝が複数設けられる。
【発明の効果】
【０００７】
本発明によれば、屋外に適した構造を有する電気設備を提供できる。
【図面の簡単な説明】
【０００８】
【図１】本発明の実施例に係る電気設備の構造を示す斜視図である。
【図２】図１の電気設備の構造を示す別の斜視図である。
【図３】図１の電気設備の構造を示す分解斜視図である。
【図４】図１の電気設備の構造を示す側面図である。
【図５】図１の電気設備の構造を示す分解側面図である。
【図６】図１の電気設備の構造を示す正面図である。
【図７】図１の電気設備の構造を示す別の分解斜視図である。
【図８】図８（ａ）−（ｂ）は、図１の電気設備における本体ケース、配管カバー、配線カバーの構造を示す斜視図である。
【図９】図８（ａ）−（ｂ）の配管カバーの構造を示す斜視図である。
【図１０】図１の電気設備における本体ケースの構造を示す斜視図である。
【図１１】図８（ａ）−（ｂ）の第１ヒートシンクの構造を示す斜視図である。
【図１２】図８（ａ）−（ｂ）の第１ヒートシンクの構造を示す別の斜視図である。
【図１３】図８（ａ）−（ｂ）の第１ヒートシンクの構造を示すさらに別の斜視図である。
【図１４】図８（ａ）−（ｂ）の第２ヒートシンクの構造を示す斜視図である。
【発明を実施するための形態】
【０００９】
本発明の実施例を具体的に説明する前に、実施例の概要を説明する。実施例は、屋外に設置される電気設備に関する。電気設備の一例は電力変換装置である。屋外に設置される電気設備では、雨天の影響を抑制するために防水性が要求される。さらに、このような電気設備は、次のような状況におかれる。
（ｉ）屋外では、水蒸気を含んだ暖かい空気が電気設備によって冷やされやすくなる。その結果、電気設備の内部で結露が発生するおそれがある。結露による水分が、電気設備に収納された電気機器に付着すると、電気機器が故障する原因になる。
（ｉｉ）屋外では、日射により電気設備内の温度が上昇しやすくなる。電気設備に収納された電気機器にとって、温度の上昇しすぎは好ましくない。
（ｉｉｉ）屋外に設置されることによって、電気設備が人目につくようになる。電気設備の機械的な構造が露出していれば、外観を損なうことになる。
【００１０】
（ｉｖ）防水性を高めるためには電気設備を密封構造にすることが有効であるが、密封構造により電気設備の放熱性が低下する。一方、電気設備に収納された電気機器は動作により発熱するので放熱が必要とされる。
（ｖ）配管あるいは配線が外部から電気設備に挿入される。挿入部分は、他の部分に比べて露出に近い状態になり、雨が直接当たらなくても水が侵入しやすくなる。挿入部分から電気設備内に水が侵入すると、電気設備に収納された電気機器が故障する原因になる。
（ｖｉ）屋外では、塵埃が空中をまっている場合がある。電気設備内に塵埃が入ると、電気設備に収納された電気機器が故障する原因になる。
（ｖｉｉ）屋外では、温度、天候の変化が大きいので、電気設備における防水性が劣化しやすくなる。防水性の劣化が大きければ、電気設備に対するメンテナンスの負担が大きくなる。
（ｖｉｉｉ）設置作業が屋外になるので、設置の容易さが作業性に影響を及ぼす。
（ｉｘ）防水性を向上させるような電気設備は製造コストの増加につながりやすい。
これらの状況を改善するような構造が、屋外に適した構造であるといえる。本実施例では、屋外に適した構造を有する電気設備を説明する。
【００１１】
なお、以下の説明において、「平行」、「垂直」は、完全な平行、垂直だけではなく、誤差の範囲で平行、垂直からずれている場合も含むものとする。また、「略」は、おおよその範囲で同一であるという意味である。以下では、説明を明確にするために、（１）全体構造、（２）配管構造および配線構造、（３）本体ケース構造、（４）電気機器構造の順に説明する。
【００１２】
（１）全体構造
図１から図６を使用しながら、電気設備１０００の全体構造を説明する。図１に示すように、ｘ軸、ｙ軸、ｚ軸からなる直交座標系が規定される。ｘ軸、ｙ軸は、電気設備１０００の底面内において互いに直交する。ｚ軸は、ｘ軸およびｙ軸に垂直であり、電気設備１０００の高さ（垂直）方向に延びる。また、ｘ軸、ｙ軸、ｚ軸のそれぞれの正の方向は、図１における矢印の方向に規定され、負の方向は、矢印と逆向きの方向に規定される。また、ｘ軸の正方向側を「前側」あるいは「正面側」、ｘ軸の負方向側を「後側」あるいは「背面側」、ｚ軸の正方向側を「上側」あるいは「天面側」、ｚ軸の負方向側を「下側」あるいは「底面側」ということもある。さらに、ｙ軸方向を「側面側」ということもある。
【００１３】
図１、図２は、本発明の実施例に係る電気設備１０００の構造を示す斜視図であり、図１は電気設備１０００を正面側から見た構造であり、図２は電気設備１０００を背面側から見た構造である。図３は、電気設備１０００の構造を示す分解斜視図であり、図１と同一方向における分解斜視図である。図４は、電気設備１０００の構造を示す側面図であり、図５は、図４と同一方向における電気設備１０００の構造を示す分解側面図である。なお、図６は後述する。ここでは、電気設備１０００を屋外に設置する場合を例示する。
【００１４】
電気設備１０００は、本体ケース１００、前面カバー２００、後面カバー３００、配管カバー４００、配線カバー５００を含む。本体ケース１００は、本体ケース天面１１０、本体フランジ１１２、本体ケース側面１１６、取手部１１８、本体ケース背面１２２、ボトムカバー１２４、本体ケース底面１２６、収納空間１５０、開口空間１５２、内壁１５４、内側ケース１６０、内側ケース天面１６２、内側ケース側面１６８、電気機器蓋１８０を含む。前面カバー２００は、前面カバー天面２１０、放熱口２１２、前面カバー側面２１６、前面カバー正面２２０を含む。後面カバー３００は、後面カバー天面３１０、後面フランジ３１２、切り欠き部３１４、後面カバー側面３１６、後面カバー背面３２２、背面カバー底面３２６、後面開口部３２８、遮蔽板３５０、スリット３６０を含む。
【００１５】
なお、本体ケース１００、前面カバー２００、後面カバー３００、配線カバー５００の各構成要素は、ネジ、溶接、接着材等で接続されているが、公知の技術が使用されればよいので、ここでは説明を省略する。本体ケース１００、前面カバー２００、後面カバー３００、配管カバー４００、配線カバー５００間の接続についても同様である。また、複数の構成要素が一体的に形成されてもよい。
【００１６】
本体ケース１００は、ｘ軸の正方向側に開口した箱形状に形成される。ここで、ｚ軸の正方向側には本体ケース天面１１０が配置され、ｙ軸方向の両側には本体ケース側面１１６が配置され、ｘ軸の負方向側には本体ケース背面１２２が配置され、ｚ軸の負方向側には本体ケース底面１２６が配置される。また、本体ケース底面１２６のｚ軸の負方向側にはボトムカバー１２４が配置され、ボトムカバー１２４は、本体ケース１００をｚ軸の負方向側から支持する。各本体ケース側面１１６には、ユーザが把持可能な取手部１１８が設けられる。箱形状で形成された本体ケース１００の内部には、ｙ軸方向に延びる板形状を有した内壁１５４が配置される。内壁１５４によって、本体ケース１００の内部は、ｚ軸の正方向側の収納空間１５０と、ｚ軸の負方向側の開口空間１５２に分離される。
【００１７】
収納空間１５０には、内側ケース１６０が配置される。内側ケース１６０は、本体ケース１００と同様にｘ軸の正方向側に開口した箱形状に形成される。内側ケース１６０の構造の詳細は後述するが、ｚ軸の正方向側には内側ケース天面１６２が配置され、ｙ軸方向の両側には内側ケース側面１６８が配置される。また、内側ケース１６０のｘ軸の負方向側は本体ケース背面１２２によって塞がれる。内側ケース１６０は電気機器を収納する。電気機器の一例は、直流電力を交流電力に変換する変換回路である。変換回路の詳細は後述するが、これは発熱素子を備えた回路であるともいえる。また、内側ケース１６０の開口部分は電気機器蓋１８０によって開閉可能に閉じられる。電気機器蓋１８０は、ｙ−ｚ平面に矩形状を有した板形状に形成される。開口空間１５２には、配管カバー４００、配線カバー５００が接続される。配管カバー４００、配線カバー５００については後述する。
【００１８】
前面カバー２００は、本体ケース１００における開口を覆うように、本体ケース１００の前方、つまりｘ軸の正方向側に配置される。前面カバー２００において、本体ケース１００における開口を覆うための前面カバー正面２２０は、ｙ−ｚ平面に広がる板形状に形成されており、ｚ軸の正方向側の前面カバー天面２１０、ｙ軸の両方向側の前面カバー側面２１６によって囲まれる。前面カバー天面２１０のｙ軸方向の両端側には複数の放熱口２１２が設けられる。前面カバー２００は、図１、図２、図４のように本体ケース１００にｘ軸の正方向側から取り付けられる。ここでは、本体ケース１００の構成を分かりやすくするために前面カバー２００を透明で示しているが、実際には本体ケース１００に着色がなされている。
【００１９】
後面カバー３００は、本体ケース背面１２２を覆うように、本体ケース１００の後方、つまりｘ軸の負方向側に配置される。後面カバー３００において、本体ケース背面１２２を覆うための後面カバー背面３２２は、ｙ−ｚ平面に広がる板形状に形成されており、ｚ軸の正方向側の後面カバー天面３１０、ｙ軸の両方向側の後面カバー側面３１６、ｚ軸の負方向側の背面カバー底面３２６によって囲まれる。後面カバー天面３１０、背面カバー底面３２６には、複数のスリット３６０が設けられる。スリット３６０は、本体ケース１００での発熱に対する放熱に使用される。また、後面カバー背面３２２には、後面開口部３２８、遮蔽板３５０が設けられる。後面カバー３００は、図１、図２、図４のように本体ケース１００にｘ軸の負方向側から取り付けられるので、本体ケース１００は前面カバー２００、後面カバー３００によって囲まれる。これにより本体ケース１００が露出しなくなり、本体ケース１００の構成に関係なく、外観を損なうことが抑制される。また、後面カバー背面３２２のｘ軸の負方向側の面が図示しない建物等の立壁に固定される。
【００２０】
前面カバー２００、後面カバー３００が本体ケース１００に取り付けられた状態において、前面カバー天面２１０は、本体ケース天面１１０、後面カバー天面３１０よりも上方、つまりｚ軸の正方向側に配置される。ここでは、本体ケース天面１１０のｘ軸方向の幅よりも、前面カバー天面２１０のｘ軸方向の幅が広いので、本体ケース天面１１０は前面カバー天面２１０によって覆われる。つまり、ｚ軸方向において、前面カバー天面２１０と本体ケース天面１１０との２重構造が形成される。２重構造により防水性が向上するとともに、前面カバー天面２１０と本体ケース天面１１０との間の空気層の存在によって、結露の発生が抑制されたり、日射による本体ケース１００内部の温度上昇が抑制されたりする。なお、前面カバー天面２１０のｘ軸方向が、本体ケース天面１１０のｘ軸方向の幅よりも狭い場合、本体ケース天面１１０は、前面カバー天面２１０および後面カバー天面３１０によって覆われてもよい。
【００２１】
さらに、本体ケース天面１１０のｘ軸の正方向側の縁部には、前面カバー天面２１０に向かって突出する本体フランジ１１２が設けられる。本体フランジ１１２は、前面カバー天面２１０と本体ケース天面１１０との間の隙間を埋める。また、本体フランジ１１２は、本体ケース側面１１６にも設けられている。この本体フランジ１１２は、前面カバー側面２１６に向かって突出しており、本体ケース側面１１６と前面カバー側面２１６との間の隙間を埋める。これも防水性の向上につながる。
【００２２】
後面カバー天面３１０のｘ軸の正方向側の縁部には、前面カバー天面２１０に向かって突出する後面フランジ３１２が設けられる。後面フランジ３１２は、前面カバー天面２１０と後面カバー天面３１０との間の隙間を埋める。これも防水性の向上につながる。後面フランジ３１２には、凹んだ形状を有する切り欠き部３１４が複数設けられる。なお、切り欠き部３１４の代わりに、放熱口が設けられてもよい。これにより、本体ケース１００の内部において発熱がなされても、放熱が促される。
【００２３】
図６は、電気設備１０００の構造を示す正面図である。電気設備１０００における本体ケース１００は、端子部１５６をさらに含む。内壁１５４における開口空間１５２側には、複数の端子部１５６が設けられる。端子部１５６は、外部から電気設備１０００内部に挿入された配管あるいは配線を接続するための端子である。ここで、配管、配線は電線に相当する。なお、以下において、配管および配線の図示は省略される。このような接続により、電気設備１０００に収納された電気機器と外部の間で電力が入出力される。端子部１５６が開口空間１５２側に配置されるので、配管あるいは配線は収納空間１５０に挿入されない。これにより、配管あるいは配線を通すための孔を内壁１５４に設けることが不要になり、水あるいは塵埃が収納空間１５０に入ることが防止される。
【００２４】
前述のごとく、前面カバー天面２１０のｙ軸方向の両端側には放熱口２１２が設けられる。放熱口２１２は、本体ケース側面１１６と前面カバー側面２１６とに挟まれた空間のｚ軸の正方向側に配置される。これにより、本体ケース１００の内部において発熱がなされても、当該空間に形成された空気経路８００を通って放熱がなされる。
【００２５】
本体ケース側面１１６と前面カバー側面２１６とに挟まれた空間に配置されるように、取手部１１８が本体ケース側面１１６に設けられる。本体ケース側面１１６と前面カバー側面２１６は離間して設けられ、かつ前面カバー側面２１６はｚ軸方向にある程度の長さを有する。そのため、前面カバー側面２１６は本体ケース１００に向かって撓みやすくなるが、取手部１１８が前面カバー側面２１６を支持することによって、撓みが抑制される。
【００２６】
（２）配管構造および配線構造
図７は、電気設備１０００の構造を示す別の分解斜視図であり、図２と同一方向における分解斜視図である。図８（ａ）−（ｂ）は、電気設備１０００における本体ケース１００、配管カバー４００、配線カバー５００の構造を示す斜視図であり、図７における本体ケース１００をさらに分解した斜視図である。本体ケース１００は、底面開口部１２８、本体開口部１３０、固定金具１３２、配管孔１３４をさらに含む。配管カバー４００は、配管孔４０２を含む。配線カバー５００は、第１フランジ５１０、第２フランジ５１２、第３フランジ５１４、カバー部５２０、密封溝部５３０を含む。また、本体ケース背面１２２には、第１ヒートシンク６００、第２ヒートシンク７００が配置される。
【００２７】
本体ケース底面１２６には、底面開口部１２８と複数の配管孔１３４とが設けられる。底面開口部１２８は、本体ケース底面１２６のｙ軸の正方向側において矩形状に開口する。底面開口部１２８は、本体ケース１００の下方からの配管（図示せず）を本体ケース１００の内部に挿入するために設けられる。また、本体ケース底面１２６において底面開口部１２８が設けられていない部分には、複数の配管孔１３４が設けられる。複数の配管孔１３４も、本体ケース１００の下方からの配管を本体ケース１００の内部に挿入するために設けられる。１つの配管孔１３４には１つの配管が通されるので、配管孔１３４の径は、配管の径に応じたサイズであり、かつ配管の径よりも大きなサイズにされる。
【００２８】
配管カバー４００は、底面開口部１２８を下方から覆うように、本体ケース底面１２６に取り付けられる。配管カバー４００は、ｘ−ｙ平面において広がる板形状に形成され、ｘ−ｙ平面において底面開口部１２８よりも大きなサイズを有する。配管カバー４００には、複数の配管孔４０２が設けられる。配管孔４０２は、配管孔１３４と同様に形成される。配管孔４０２あるいは配管孔１３４を通った配管は、前述の端子部１５６に接続される。ここで、電気設備１０００を設置する際、配管孔４０２に配管を通させてから、配管カバー４００が本体ケース底面１２６に取り付けられる。そのため、設置時の作業性が向上する。また、配管カバー４００が底面開口部１２８よりも大きなサイズを有するので、配管カバー４００と底面開口部１２８との間からの水の侵入が抑制される。配管カバー４００の詳細は後述する。
【００２９】
本体ケース背面１２２には、本体開口部１３０が設けられる。本体開口部１３０は、底面開口部１２８に近接するように配置されるとともに、後面カバー背面３２２に設けられた後面開口部３２８にｘ軸方向において対向するように配置される。本体開口部１３０は、後面開口部３２８に対して鏡像対象となる形状を有しており、例えば、上方の一角が欠けた矩形状を有する。後面開口部３２８には、電気設備１０００の外部、例えば電気設備１０００を固定する立壁からの配線が通される。当該配線は、後面開口部３２８につづいて本体開口部１３０も通って本体ケース１００の内部に挿入される。本体開口部１３０を通った配線は、前述の端子部１５６に接続される。
【００３０】
本体開口部１３０と後面開口部３２８を上方から囲みながら本体ケース１００と後面カバー３００とを接続するように、配線カバー５００が取り付けられる。配線カバー５００における第１フランジ５１０は、本体開口部１３０の少なくとも一部、具体的には上方および側方を囲む形状を有しており、本体開口部１３０の縁部に合わされながら本体ケース背面１２２に固定される。第２フランジ５１２は、後面開口部３２８の少なくとも一部、具体的には上方および側方を囲む形状を有しており、後面開口部３２８の縁部に合わされながら後面カバー背面３２２に固定される。第１フランジ５１０および第２フランジ５１２の間をｘ軸方向につなぐようにカバー部５２０が配置される。カバー部５２０は、配線をｚ軸の正方向側から覆う。なお、カバー部５２０においてｚ軸の負方向側は開口する。
【００３１】
さらに、第１フランジ５１０、第２フランジ５１２、カバー部５２０において、ｚ軸の負方向側端は、第３フランジ５１４によってつながれる。ここで、第１フランジ５１０、第２フランジ５１２、第３フランジ５１４、カバー部５２０は一体的に形成される。このように本体ケース背面１２２と後面カバー背面３２２との間をまたぐ配線は配線カバー５００によって覆われるので、仮に本体ケース背面１２２と後面カバー背面３２２との間にｚ軸の正方向側から水が侵入しても、配線がぬれることは防止されるので、防水性が向上する。
【００３２】
電気設備１０００を立壁に設置する場合、後面カバー３００が立壁に固定されてから、後面カバー３００に本体ケース１００が取り付けられる。その際、配線カバー５００は、本体ケース背面１２２に固定された状態において、後面カバー背面３２２に接続される。そのため、第２フランジ５１２と後面カバー背面３２２のとの接続は、電気設備１０００の設置現場でなされるので、接続状態にバラツキが生じ、防水性が劣化するおそれがある。この防水性の低下を抑制するために、第２フランジ５１２における後面カバー背面３２２側の表面には、当該表面の形状に沿った密封溝部５３０が形成される。密封溝部５３０には、パッキン等の密封部材が配置される。そのため、第２フランジ５１２と後面カバー背面３２２は、密封部材を挟みながら接続される。その結果、接続が強力になって、防水性の劣化が抑制される。なお、第２フランジ５１２と同様に第１フランジ５１０、第３フランジ５１４においても密封溝部５３０が形成されてもよい。その際、第１フランジ５１０、第３フランジ５１４の密封溝部５３０にも、密封部材が配置される。
【００３３】
なお、配線カバー５００において、ｚ軸の負方向側にはカバー部５２０が形成されておらず、当該方向に配線カバー５００は開口する。ここで、第３フランジ５１４は、ｚ軸の負方向側から配管カバー４００によって覆われる。このような構成により、下方からの水の侵入が抑制される。ここで、配管カバー４００は、ｙ軸方向における２つの第３フランジ５１４の間隔に応じたサイズを有する。配管カバー４００が大きすぎないので、放熱性の低下が抑制される。また、配管カバー４００と配線カバー５００とが接続されるので、配管の引込位置と配線の引込位置とがまとめられ、防水対策すべき位置が集約される。本体ケース底面１２６に配管カバー４００が取り付けられた状態において、ボトムカバー１２４がｚ軸の負方向側から本体ケース底面１２６に接続される。
【００３４】
本体ケース背面１２２には、第１ヒートシンク６００および第２ヒートシンク７００がｙ軸方向に並べられる。第１ヒートシンク６００、第２ヒートシンク７００は、別々の構造であり、本体ケース１００に収納された電気機器による発熱をそれぞれ放熱する。第２ヒートシンク７００は、第１ヒートシンク６００よりもｚ軸方向の長さが短くなるように形成される。そのため、第１ヒートシンク６００のｚ軸の負方向側のスペースよりも、第２ヒートシンク７００のｚ軸の負方向側のスペースの方が広くなる。このようなスペースを有効利用するために、底面開口部１２８、本体開口部１３０は、第２ヒートシンク７００のｚ軸の負方向側に配置される。第１ヒートシンク６００および第２ヒートシンク７００を覆うように、固定金具１３２が、本体ケース背面１２２に接続される。固定金具１３２は後面カバー背面３２２にも接続される。
【００３５】
さらに、本体ケース背面１２２に固定された配線カバー５００を後面カバー背面３２２に接続する際の水の侵入を抑制するために、後面カバー背面３２２には遮蔽板３５０が設けられる。遮蔽板３５０は、後面開口部３２８のｚ軸の正方向側においてｘ軸の正方向側、つまり本体ケース背面１２２側に向かって突出する。
【００３６】
図９は、配管カバー４００の構造を示す斜視図である。配管カバー４００は、配管孔４０２、カバー底面４０４、防水壁４１０、防水溝部４２０、排水孔４３０を含む。カバー底面４０４は略矩形状に形成される。カバー底面４０４には、複数の配管孔４０２が配置される。カバー底面４０４には、配管孔４０２を囲むように防水壁４１０がｚ軸の正方向に向かって立設される。また、カバー底面４０４には、防水壁４１０を囲むように防水溝部４２０が設けられる。防水溝部４２０においては、複数の壁と溝が並ぶ。また、防水溝部４２０には、カバー底面４０４をｚ軸方向に貫通する排水孔４３０が設けられる。配管カバー４００が本体ケース１００に取り付けられた場合、防水溝部４２０は、本体ケース底面１２６および第３フランジ５１４に接触する。防水溝部４２０に侵入した水は、防水壁４１０を越えて配管孔４０２側に流れ込まずに壁に沿って溝を流れるとともに、排水孔４３０から排出される。このような構成によって、配管カバー４００から本体ケース１００の内部への水の侵入が抑制され、防水性が向上される。
【００３７】
（３）本体ケース構造
図１０は、電気設備１０００における本体ケース１００の構造を示す斜視図である。これは、図３の本体ケース１００において電気機器蓋１８０を取り外した構成に相当する。本体ケース１００は、排気ファン１６４、放熱フィン１６６、内側ケース底面１７０、内側ケース開口部１７２をさらに含む。載置面６０２には、複数のリアクトル素子６１０、複数のコイル６１２、トランス６１４が配置される。載置面７０２には、制御基板７１０、回路７１２が配置される。前述のごとく、本体ケース１００の内部は、内壁１５４を境界として収納空間１５０と開口空間１５２とに分離されており、収納空間１５０は電気機器を収納し、開口空間１５２は底面開口部１２８、本体開口部１３０、端子部１５６を含む。
【００３８】
収納空間１５０には、本体ケース１００から内側に離間した内側ケース１６０が配置される。つまり、本体ケース天面１１０に対向するように内側ケース天面１６２が配置され、本体ケース側面１１６に対向するように内側ケース側面１６８が配置される。また、ｚ軸の負方向側において、内壁１５４から対向するように内側ケース底面１７０が配置される。さらに、内側ケース天面１６２、内側ケース側面１６８、内側ケース底面１７０が本体ケース背面１２２（図示せず）を囲むことによって、ｘ軸の正方向側に開口した箱形形状の内側ケース１６０が形成される。なお、本体ケース１００は内側ケース１６０を収納しているので、本体ケース１００は「外側ケース」ともいえる。
【００３９】
内側ケース１６０の内部には、載置面６０２および載置面７０２が、ｘ軸の正方向側を向きながらｙ軸方向に並べられる。ここで、載置面６０２は、図８に示した第１ヒートシンク６００の反対側の面であり、載置面７０２は、図８に示した第２ヒートシンク７００の反対側の面である。そのため、載置面７０２は、載置面６０２よりもｚ軸方向の長さが短くなるように形成される。載置面６０２および載置面７０２には、電気機器が搭載される。前述のごとく、電気機器は変換回路である。ここで、変換回路のうち、複数のリアクトル素子６１０、複数のコイル６１２、トランス６１４は載置面６０２に設置され、制御基板７１０、回路７１２は載置面７０２に設置される。複数のリアクトル素子６１０、複数のコイル６１２、トランス６１４、制御基板７１０、回路７１２（以下、それぞれを「回路部品」といったり、これらを「回路部品」と総称したりする）は互いに接続されるが、変換回路の構成には公知の技術が使用されればよいので、ここでは説明を省略する。なお、回路７１２にはスイッチ素子が含まれる。
【００４０】
このように構成された電気機器は発熱するので、発熱による温度上昇を抑制するために放熱が必要になる。そのため、内側ケース天面１６２には、２つの排気ファン１６４が設けられる。特に、２つの排気ファン１６４は、電気機器が搭載される載置面６０２および載置面７０２のｚ軸の正方向側に配置される。このような２つの排気ファン１６４によって、内側ケース１６０内における電気機器での発熱によって暖められた空気は、本体ケース天面１１０と内側ケース天面１６２との間の空間に出力される。
【００４１】
排気ファン１６４が設けられる内側ケース天面１６２に対向した本体ケース天面１１０の外側には、放熱フィン１６６が設けられる。放熱フィン１６６によって、本体ケース天面１１０の外側の空気と、本体ケース天面１１０の内側の空気との間で熱交換がなされる。そのため、本体ケース天面１１０と内側ケース天面１６２との間の空間に出力された空気であって、かつ暖められた空気は、熱交換によって冷やされる。冷えた空気は、内側ケース側面１６８と本体ケース側面１１６とに挟まれた部分に形成された空気経路８１０を通って、収納空間１５０を内壁１５４まで進む。空気経路８１０を進んでいる間も本体ケース側面１１６を介して熱交換をしながら空気は冷えていく。その後、空気は、内側ケース底面１７０の内側ケース開口部１７２を経由したり、載置面７０２の下方を経由したりして、電気機器を冷却する。さらに、電気機器によって暖められた空気は排気ファン１６４の方に進むことによって、空気が循環される。
【００４２】
（４）電気機器構造
図１１、図１２は、第１ヒートシンク６００の構造を示す斜視図であり、図１１はリアクトル素子６１０が設置されている場合を示し、図１２は、リアクトル素子６１０が設置されていない場合を示す。また、図１３は、第１ヒートシンク６００の構造を示すさらに別の斜視図であり、これは、図１１、図１２の反対側の面を示す。第１ヒートシンク６００は、載置面６０２、放熱フィン６０４を含む。また、載置面６０２は、第１格納溝６２０、第２格納溝６２２、第３格納溝６２４、第４格納溝６２６を含む。リアクトル素子６１０、コイル６１２、トランス６１４には公知の技術が使用されればよいので、ここでは説明を省略するが、複数のリアクトル素子６１０のそれぞれは、非平面状の接続面６１６を有する。また、コイル６１２、トランス６１４も、非平面状の接続面を有する。非平面状とは、例えば、曲面を含んだ立体形状である。
【００４３】
第１ヒートシンク６００において、１つの面には放熱フィン６０４が設けられる。一方、第１ヒートシンク６００において、放熱フィン６０４が設けられる面とは反対側の載置面６０２には、複数の回路部品のそれぞれを格納するための第１格納溝６２０、第２格納溝６２２、第３格納溝６２４、第４格納溝６２６が設けられる。第１格納溝６２０は、３つのリアクトル素子６１０を一列に並べて格納するための溝であり、ｙ軸方向よりもｚ軸方向に長い形状を有する。また、第２格納溝６２２は、第１格納溝６２０のｙ軸の正方向側に配置され、２つのリアクトル素子６１０を並べて格納するための溝である。
【００４４】
リアクトル素子６１０は、接続面６１６を第２格納溝６２２に向けて、第２格納溝６２２に格納される。つまり、第２格納溝６２２の底部の形状は、接続面６１６の形状に合わせるように形成される。第１格納溝６２０、第３格納溝６２４、第４格納溝６２６についても同様である。第１格納溝６２０から第４格納溝６２６に回路部品が格納された状態において、第１格納溝６２０から第４格納溝６２６のそれぞれにはポッティング樹脂が注入される。その結果、第１格納溝６２０から第４格納溝６２６に回路部品が固定される。第１格納溝６２０から第４格納溝６２６は回路部品の接続面の形状に応じて形成されるので、回路部品の接続面が非平面状であっても、第１格納溝６２０から第４格納溝６２６への回路部品の格納が容易になる。
【００４５】
放熱フィン６０４は、後面カバー背面３２２を向くように本体ケース背面１２２に固定される。そのため、第１格納溝６２０から第４格納溝６２６に固定された回路部品において発熱がなされても、放熱フィン６０４は、本体ケース１００の外側への放熱を実行する。
【００４６】
図１４は、第２ヒートシンク７００の構造を示す斜視図である。第２ヒートシンク７００は、載置面７０２、放熱フィン７０４を含む。図１０に示した制御基板７１０、回路７１２には公知の技術が使用されればよいので、ここでは説明を省略するが、制御基板７１０、回路７１２のそれぞれは、平面状の接続面を載置面７０２に向ける。
【００４７】
第２ヒートシンク７００において、１つの面には放熱フィン７０４が設けられる。一方、第２ヒートシンク７００において、放熱フィン７０４が設けられる面とは反対側の載置面７０２は、平面状に形成される。載置面７０２にはポッティング樹脂によって制御基板７１０、回路７１２が固定されるが、載置面７０２、制御基板７１０、回路７１２のいずれも平面状の面を有するので、固定が容易になされる。放熱フィン７０４は、後面カバー背面３２２を向くように本体ケース背面１２２に固定される。そのため、載置面７０２に固定された回路部品において発熱がなされても、放熱フィン７０４は、本体ケース１００の外側への放熱を実行する。
【００４８】
載置面６０２に第１格納溝６２０等が形成された第１ヒートシンク６００とは異なり、載置面７０２が平面である第２ヒートシンク７００には汎用品を使用可能である。そのため、第２ヒートシンク７００を使用することによって製造コストの増加が抑制される。また、接続面が非平面状である回路部品を第１ヒートシンク６００に集め、接続面が平面状である回路部品を第２ヒートシンク７００に集めるので、複数の回路部品の搭載が容易になされる。
【００４９】
本実施例によれば、前述の（ｉ）〜（ｉｘ）の状況を改善するような、屋外に適した構造を有する電気設備１０００を提供できる。
（ｉ）前面カバー天面２１０と本体ケース天面１１０との２重構造が形成されるので、前面カバー天面２１０と本体ケース天面１１０との間の空気層の存在によって、結露の発生を抑制できる。また、前面カバー天面２１０と本体ケース天面１１０との２重構造が形成されるので、防水性を向上できる。
（ｉｉ）前面カバー天面２１０と本体ケース天面１１０との２重構造が形成されるので、前面カバー天面２１０と本体ケース天面１１０との間の空気層の存在によって、日射による本体ケース１００内部の温度上昇を抑制できる。
（ｉｉｉ）本体ケース１００が前面カバー２００、後面カバー３００によって囲まれるので、本体ケース１００の露出を防止できる。また、本体ケース１００の露出が防止されるので、本体ケース１００の構成に関係なく、外観を損なうことが抑制できる。
【００５０】
（ｉｖ）凹んだ形状を有する切り欠き部３１４が後面フランジ３１２に複数設けられるので、本体ケース１００の内部において発熱がなされても、放熱が促すことができる。また、前面カバー天面２１０に放熱口２１２を開口させるので、本体ケース側面１１６と前面カバー側面２１６とに挟まれた空間に空気経路８００を形成できる。また、本体ケース側面１１６と前面カバー側面２１６とに挟まれた空間に空気経路８００が形成されるので、本体ケース１００の内部において発熱がなされても、空気経路８００を通って放熱できる。また、排気ファン１６４が設けられる内側ケース１６０の一面に対向した面の外側に放熱フィン１６６を設けるので、排気ファン１６４から出力される暖かい空気を放熱フィン１６６で放熱できる。また、内側ケース側面１６８と本体ケース側面１１６とに挟まれた部分に空気経路８１０が形成されるので、空気を循環させることができる。また、空気が循環するので、電気機器を冷却できる。また、電気機器として変換回路が収納されるので、変換回路を冷却できる。
【００５１】
（ｖ）配管カバー４００が底面開口部１２８よりも大きなサイズを有するので、配管カバー４００と底面開口部１２８との間からの水の侵入を抑制できる。また、配管カバー４００は配管孔４０２を有するので、配管カバー４００を本体ケース１００に接続したまま、配管を通すことができる。また、配管カバー４００において配管孔４０２を囲む防水壁４１０が立設されるので、防水溝部４２０に侵入した水を配管孔４０２側に流れ込みにくくできる。また、防水壁４１０を囲む防水溝部４２０が設けられ、防水溝部４２０に排水孔４３０が設けられるので、防水溝部４２０を流れる水を排水孔４３０から排出できる。また、防水溝部４２０を流れる水が排水孔４３０から排出されるので、配管カバー４００から本体ケース１００の内部への水の侵入を抑制できる。また、配管カバー４００から本体ケース１００の内部への水の侵入が抑制されるので、防水性を向上できる。
【００５２】
また、本体ケース背面１２２と後面カバー背面３２２との間をまたぐ配線は配線カバー５００によって覆われるので、仮に本体ケース背面１２２と後面カバー背面３２２との間に水が侵入しても、配線がぬれることを防止できる。また、配線がぬれることが防止されるので、防水性を向上できる。また、壁面および露出配管により電線が引き込まれるが、この引込部分の水や埃の浸入リスクを低減できる。また、暴風雨や暴風時の埃などが引込部分から内部に侵入するリスクを低減できる。また、カバー部５２０において開放された下方部分が配管カバー４００によって覆われるので、下方からの水の侵入を抑制できる。また、配管カバー４００と配線カバー５００とが接続されるので、配管の引込位置と配線の引込位置とがまとめられ、防水対策すべき位置を集約できる。
【００５３】
（ｖｉ）端子部１５６が開口空間１５２側に配置されるので、配管あるいは配線が収納空間１５０に挿入されなくできる。また、配管あるいは配線が収納空間１５０に挿入されないので、配管あるいは配線を通させるための孔を内壁１５４に設けることが不要になり、水あるいは塵埃が収納空間１５０に入ることを防止できる。また。内壁１５４が設けられるので、収納空間１５０の防水性を向上できる。
（ｖｉｉ）第２フランジ５１２と後面カバー背面３２２は、密封部材を挟みながら接続されるので、接続を強力にできる。また、接続が強力になるので、防水性の劣化を抑制できる。また、防水性の劣化が抑制されるので、電気設備１０００に対するメンテナンスの負担を低減できる。
【００５４】
（ｖｉｉｉ）本体ケース側面１１６に取手部１１８が設けられるので、設置時に取手部１１８を持つことによって安全性を向上できる。また、取手部１１８が前面カバー側面２１６を支持するので、前面カバー側面２１６を薄型化できる。また、前面カバー側面２１６が薄型化されるので、電気設備１０００を軽量化できる。また、取手部１１８が前面カバー側面２１６を支持することによって、前面カバー側面２１６の撓みを抑制できる。また、電気設備１０００を設置する際、配管孔４０２に配管を通させてから、配管カバー４００が本体ケース底面１２６に取り付けられるので、設置時の作業性を向上できる。また、後面カバー３００において、後面開口部３２８の上方に遮蔽板３５０が設けられるので、設置時における水の侵入を抑制できる。
【００５５】
（ｉｘ）第１格納溝６２０から第４格納溝６２６は回路部品の接続面の形状に応じて形成されるので、リアクトル素子６１０、コイル６１２、トランス６１４の接続面が非平面状であっても、これらを第１ヒートシンク６００に格納することを容易にできる。また、リアクトル素子６１０、コイル６１２、トランス６１４を第１ヒートシンク６００に格納することが容易になるので、製造コストの増加を抑制できる。また、載置面６０２に第１格納溝６２０等が形成された第１ヒートシンク６００とは異なり、載置面７０２が平面である第２ヒートシンク７００には汎用品を使用できる。また、汎用品の第２ヒートシンク７００を使用することによって製造コストの増加を抑制できる。また、接続面が非平面状である回路部品を第１ヒートシンク６００に集め、接続面が平面状である回路部品を第２ヒートシンク７００に集めるので、複数の回路部品の搭載を容易にできる。また、複数の回路部品の搭載が容易になるので、製造コストの増加を抑制できる。
【００５６】
これまで説明した効果に加えて、本実施例によれば次のような効果も得ることができる。本体ケース天面１１０に本体フランジ１１２が設けられ、後面カバー天面３１０には後面フランジ３１２が設けられるので、暴風雨などにおいて風に巻き上げられた水を一時的に遮蔽できる。また、暴風雨などにおいて風に巻き上げられた水が一時的に遮蔽されるので、防水性をさらに向上できる。また、本体ケース天面１１０に本体フランジ１１２が設けられ、後面カバー天面３１０には後面フランジ３１２が設けられるので、前面カバー２００を取り付ける際の位置合せに利用できる。前面カバー２００を取り付ける際の位置合せに本体フランジ１１２、後面フランジ３１２が利用されるので、電気設備１０００の設置を容易にできる。
【００５７】
また、第１ヒートシンク６００と、第１ヒートシンク６００よりも上下方向の長さが短い第２ヒートシンク７００とを並べるので、第１ヒートシンク６００の下方のスペースよりも、第２ヒートシンク７００の下方のスペースの方を広くできる。また、第２ヒートシンク７００の下方に底面開口部１２８、本体開口部１３０を配置するので、このようなスペースを有効利用できる。
【００５８】
本発明の一態様の概要は、次の通りである。
［項目１−１］
電気機器を収納する本体ケース（１００）と、
本体ケース（１００）の前方に配置される前面カバー（２００）と、
本体ケース（１００）の後方に配置される後面カバー（３００）とを備え、
本体ケース天面（１１０）は、前面カバー天面（２１０）および後面カバー天面（３１０）の少なくとも一方によって覆われることを特徴とする電気設備（１０００）。
【００５９】
［項目１−２］
前面カバー天面（２１０）は、本体ケース天面（１１０）および後面カバー天面（３１０）よりも上方に配置され、
本体ケース天面（１１０）には、前面カバー（２００）に向かって突出する本体フランジ（１１２）が設けられ、
後面カバー天面（３１０）には、前面カバー（２００）に向かって突出する後面フランジ（３１２）が設けられることを特徴とする項目（１−１）に記載の電気設備（１０００）。
【００６０】
［項目１−３］
後面フランジ（３１２）には、切り欠き部（３１４）あるいは放熱口が設けられることを特徴とする項目（１−２）に記載の電気設備（１０００）。
［項目１−４］
前面カバー天面（２１０）には、放熱口（２１２）が開口され、
放熱口（２１２）は、本体ケース側面（１１６）と前面カバー側面（２１６）とに挟まれた空気経路（８００）の上方に配置されることを特徴とする項目（１−１）から（１−３）のいずれか１項に記載の電気設備（１０００）。
［項目１−５］
本体ケース側面（１１６）には、取手部（１１８）が設けられ、
取手部（１１８）は、前面カバー側面（２１６）を支持することを特徴とする項目（１−１）から（１−４）のいずれか１項に記載の電気設備（１０００）。
【００６１】
［項目１−６］
本体ケース底面（１２６）に設けられる底面開口部（１２８）であって、下方からの配管を本体ケース（１００）の内部に挿入する底面開口部（１２８）を下方から覆う配管カバー（４００）をさらに備え、
配管カバー（４００）は、底面開口部（１２８）よりも大きなサイズを有するとともに、配管を通させる配管孔（４０２）を有することを特徴とする項目（１−１）から（１−５）のいずれか１項に記載の電気設備（１０００）。
［項目１−７］
配管カバー（４００）には、配管孔（４０２）を囲む防水壁（４１０）が立設されることを特徴とする項目（１−６）に記載の電気設備（１０００）。
【００６２】
［項目１−８］
配管カバー（４００）には、防水壁（４１０）を囲む防水溝部（４２０）が設けられ、
防水溝部（４２０）には、配管カバー（４００）を貫通する排水孔（４３０）が設けられることを特徴とする項目（１−７）に記載の電気設備（１０００）。
［項目１−９］
本体ケース（１００）には、電気機器を収納すべき収納空間（１５０）と底面開口部（１２８）とを分離する内壁（１５４）が設けられ、
内壁（１５４）の底面開口部（１２８）側には、配管を接続する端子部（１５６）が設けられることを特徴とする項目（１−６）から（１−８）のいずれか１項に記載の電気設備（１０００）。
【００６３】
［項目２−１］
電気機器を収納する本体ケース（１００）と、
本体ケース（１００）の後方に配置される後面カバー（３００）と、
後面カバー（３００）と本体ケース（１００）との間に配置される配線カバー（５００）とを備え、
後面カバー（３００）には、配線を通させる後面開口部（３２８）が設けられ、
本体ケース（１００）における後面カバー（３００）に対向した面には、後面開口部（３２８）からの配線を本体ケース（１００）の内部に挿入する本体開口部（１３０）が設けられ、
配線カバー（５００）は、本体開口部（１３０）の少なくとも一部を囲みながら本体ケース（１００）に接続される第１フランジ（５１０）と、後面開口部（３２８）の少なくとも一部を囲みながら後面カバー（３００）に接続される第２フランジ（５１２）と、第１フランジ（５１０）と第２フランジ（５１２）とをつないで配線を覆うカバー部（５２０）とを備えることを特徴とする電気設備（１０００）。
【００６４】
［項目２−２］
第２フランジ（５１２）には、密封部材を配置する密封溝部（５３０）が設けられ、
第２フランジ（５１２）と後面カバー（３００）は、密封部材を挟みながら接続されることを特徴とする項目（２−１）に記載の電気設備（１０００）。
［項目２−３］
後面カバー（３００）には、後面開口部（３２８）の上方において本体ケース（１００）に向かって突出する遮蔽板（３５０）が設けられることを特徴とする項目（２−１）または（２−２）に記載の電気設備（１０００）。
［項目２−４］
本体ケース（１００）には、電気機器を収納すべき収納空間（１５０）と本体開口部（１３０）とを分離する内壁（１５４）が設けられ、
内壁（１５４）の本体開口部（１３０）側には、配線を接続する端子部（１５６）が設けられることを特徴とする項目（２−１）から（２−３）のいずれか１項に記載の電気設備（１０００）。
【００６５】
［項目２−５］
本体ケース（１００）には、第１ヒートシンク（６００）と、第１ヒートシンク（６００）よりも上下方向の長さが短い第２ヒートシンク（７００）とが設けられ、
本体開口部（１３０）は、第２ヒートシンク（７００）の下方に配置されることを特徴とする項目（２−１）から（２−４）のいずれか１項に記載の電気設備（１０００）。
［項目２−６］
本体ケース底面（１２６）において、本体開口部（１３０）の近傍に設けられる底面開口部（１２８）であって、下方からの配管を本体ケース（１００）の内部に挿入する底面開口部（１２８）を下方から覆う配管カバー（４００）をさらに備え、
配管カバー（４００）は、底面開口部（１２８）よりも大きなサイズを有するとともに、配管を通させる配管孔（４０２）を有し、
カバー部（５２０）において開放された下方部分は、配管カバー（４００）によって覆われることを特徴とする項目（２−１）から（２−５）のいずれか１項に記載の電気設備（１０００）。
【００６６】
［項目３−１］
電気機器を収納する内側ケース（１６０）と、
内側ケース（１６０）を収納する本体ケース（１００）とを備え、
内側ケース（１６０）の一面には、排気ファン（１６４）が設けられ、
本体ケース（１００）において、排気ファン（１６４）が設けられる内側ケース（１６０）の一面に対向した面の外側には、放熱フィン（１６６）が設けられることを特徴とする電気設備（１０００）。
【００６７】
［項目３−２］
排気ファン（１６４）は、内側ケース天面（１６２）であって、かつ電気機器を収納すべき収納空間（１５０）の上方の内側ケース天面（１６２）に配置され、
内側ケース側面（１６８）と本体ケース側面（１２２）とに挟まれた部分に空気経路（８１０）が形成されることを特徴とする項目（３−１）に記載の電気設備（１０００）。
［項目３−３］
内側ケース（１６０）は、電気機器として、直流電力を交流電力に変換する変換回路を収納することを特徴とする項目（３−１）または（３−２）に記載の電気設備（１０００）。
［項目３−４］
内側ケース（１６０）は、電気機器として、二次電池を収納することを特徴とする項目（３−１）から（３−３）のいずれか１項に記載の電気設備（１０００）。
【００６８】
［項目４−１］
複数の回路部品と、
複数の回路部品を収納する本体ケース（１００）とを備え、
複数の回路部品のそれぞれは、非平面状の接続面（６１６）を有し、
本体ケース（１００）には、複数の回路部品を接続する第１ヒートシンク（６００）が配置され、
第１ヒートシンク（６００）において放熱フィン（６０４）が設けられる面とは反対側の面には、複数の回路部品のそれぞれを接続面（６１６）側から格納する第１格納溝（６２０）、第２格納溝（６２２）、第３格納溝（６２４）、第４格納溝（６２６）が複数設けられることを特徴とする電気設備（１０００）。
［項目４−２］
複数の回路部品は、リアクトル素子（６１０）を含むことを特徴とする項目（４−１）に記載の電気設備（１０００）。
【００６９】
［項目４−３］
本体ケース（１００）は、平面状の接続面を有する別の種類の回路部品も収納し、
本体ケース（１００）には、別の種類の回路部品を接続する第２ヒートシンク（７００）も配置され、
第２ヒートシンク（７００）において放熱フィン（７０４）が設けられる面とは反対側の面は、平面状に形成されることを特徴とする項目（４−１）または（４−２）に記載の電気設備（１０００）。
［項目４−４］
別の種類の回路部品は、スイッチ素子を含むことを特徴とする項目（４−３）に記載の電気設備（１０００）。
【００７０】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００７１】
本実施例において、内側ケース１６０には、電気機器として変換回路が収納されている。しかしながらこれに限らず例えば、内側ケース１６０には、電気機器として二次電池が収納されてもよい。本変形例によれば、構成の自由度を向上できる。
【符号の説明】
【００７２】
１００  本体ケース（外側ケース）、  １１０  本体ケース天面（本体ケースの天面）、  １１２  本体フランジ、  １１６  本体ケース側面、  １１８  取手部、  １２２  本体ケース背面、  １２４  ボトムカバー、  １２６  本体ケース底面、  １２８  底面開口部、  １３０  本体開口部、  １３２  固定金具、  １３４  配管孔、  １５０  収納空間、  １５２  開口空間、  １５４  内壁、  １５６  端子部、  １６０  内側ケース、  １６２  内側ケース天面、  １６４  排気ファン、  １６６  放熱フィン、  １６８  内側ケース側面、  １７０  内側ケース底面、  １７２  内側ケース開口部、  １８０  電気機器蓋、  ２００  前面カバー、  ２１０  前面カバー天面（前面カバーの天面）、  ２１２  放熱口、  ２１６  前面カバー側面、  ２２０  前面カバー正面、  ３００  後面カバー、  ３１０  後面カバー天面（後面カバーの天面）、  ３１２  後面フランジ、  ３１４  切り欠き部、  ３１６  後面カバー側面、  ３２２  後面カバー背面、  ３２６  背面カバー底面、  ３２８  後面開口部、  ３５０  遮蔽板、  ３６０  スリット、  ４００  配管カバー、  ４０２  配管孔、  ４０４  カバー底面、  ４１０  防水壁、  ４２０  防水溝部、  ４３０  排水孔、  ５００  配線カバー、  ５１０  第１フランジ、  ５１２  第２フランジ、  ５１４  第３フランジ、  ５２０  カバー部、  ５３０  密封溝部、  ６００  第１ヒートシンク（ヒートシンク）、  ６０２  載置面、  ６０４  放熱フィン、  ６１０  リアクトル素子（回路部品）、  ６１２  コイル（回路部品）、  ６１４  トランス（回路部品）、  ６１６  接続面、  ６２０  第１格納溝（格納溝）、  ６２２  第２格納溝（格納溝）、  ６２４  第３格納溝（格納溝）、  ６２６  第４格納溝（格納溝）、  ７００  第２ヒートシンク（別のヒートシンク）、  ７０２  載置面、  ７０４  放熱フィン、  ７１０  制御基板（回路部品）、  ７１２  回路（回路部品）、  ８００，８１０  空気経路（空気の経路）、  １０００  電気設備。
【図１】
2018060830.tif 000003
【図２】
2018060830.tif 000004
【図３】
2018060830.tif 000005
【図４】
2018060830.tif 000006
【図５】
2018060830.tif 000007
【図６】
2018060830.tif 000008
【図７】
2018060830.tif 000009
【図８】
2018060830.tif 000010
【図９】
2018060830.tif 000011
【図１０】
2018060830.tif 000012
【図１１】
2018060830.tif 000013
【図１２】
2018060830.tif 000014
【図１３】
2018060830.tif 000015
【図１４】
2018060830.tif 000016